(57)【特許請求の範囲】
【請求項１】
信号増幅のためのＬＩＮＣ増幅器（ＬＩＮＣ１、ＬＩＮＣ２）を使用して、送信装置（ＢＳ）から少なくとも１つの受信装置（ＲＡＨ１）にデータ信号を送信するための方法であって、
前記データ信号が、前記送信装置（ＢＳ）にある前記ＬＩＮＣ増幅器（ＬＩＮＣ１、ＬＩＮＣ２）の第１の部分において一定振幅の２つの位相変調信号成分によって表され、
一定振幅の前記２つの位相変調信号成分のうちの少なくとも１つが、前記送信装置（ＢＳ）にある少なくとも１つの電気光学変換器（ＥＯ１、ＥＯ２）で、電気信号から光信号に変換され、
一定振幅の前記２つの位相変調信号成分のうちの前記少なくとも１つが、前記送信装置（ＢＳ）から前記少なくとも１つの受信装置（ＲＡＨ１）に、少なくとも１つの光接続（ＯＦ１、ＯＦ２、ＯＦ４）を介して送信され、
一定振幅の前記２つの位相変調信号成分のうちの前記少なくとも１つが、前記少なくとも１つの受信装置（ＲＡＨ１）にある少なくとも１つの光学電気変換器（ＯＥ１、ＯＥ２）で、光信号から電気信号に変換され、
一定振幅の前記２つの位相変調信号成分が、前記少なくとも１つの受信装置（ＲＡＨ１）にある前記ＬＩＮＣ増幅器（ＬＩＮＣ１、ＬＩＮＣ２）の第２の部分において増幅され、結合され、
無線周波数キャリア信号が、前記送信装置（ＢＳ）におけるさらなる電気光学変換器（ＥＯ３、ＥＯ４）で、電気信号から光学無線周波数キャリア信号に変換され、
一定振幅の前記２つの位相変調信号成分のうちの少なくとも１つが前記光学無線周波数キャリア信号に追加され、結合された光信号がもたらされ、
前記結合された光信号が、前記少なくとも１つの受信装置（ＲＡＨ１）における光学電気変換器（ＯＥ１、ＯＥ２）で、光信号から電気信号に変換され、
一定振幅の前記２つの位相変調信号成分のうちの少なくとも１つが、前記光学電気変換器（ＯＥ１、ＯＥ２）において、光ヘテロダイン検出を適用して、前記光無線周波数キャリア信号との乗算によって、無線周波数ドメインにアップコンバートされる、方法。
【請求項２】
一定振幅の前記２つの位相変調信号成分のうちの前記少なくとも１つが、前記送信装置（ＢＳ）で、アナログ電気信号からデジタル電気信号に変換され、
一定振幅の前記２つの位相変調信号成分のうちの前記少なくとも１つが、前記少なくとも１つの光接続（ＯＦ１、ＯＦ２、ＯＦ４）を介してデジタル光信号として送信され、
一定振幅の前記２つの位相変調信号成分のうちの前記少なくとも１つが、前記受信装置（ＲＡＨ１）で、デジタル電気信号からアナログ電気信号に変換される
請求項１に記載の方法。
【請求項３】
前記ＬＩＮＣ増幅器（ＬＩＮＣ１、ＬＩＮＣ２）の出力信号が前記送信装置（ＢＳ）にフィードバックされ、
前記フィードバックされた出力信号に基づいて、前記ＬＩＮＣ増幅器（ＬＩＮＣ１、ＬＩＮＣ２）が、制御され、または線形化される
請求項１に記載の方法。
【請求項４】
前記送信装置（ＢＳ）が基地局であり、前記少なくとも１つの受信装置（ＲＡＨ１）がリモート・アンテナ・ヘッドであり、前記データ信号が、前記少なくとも１つのリモート・アンテナ・ヘッド（ＲＡＨ１）を介して前記基地局（ＢＳ）からユーザ端末（ＵＥ１）に送信される請求項１に記載の方法。
【請求項５】
光線形成または多入力多出力を適用して、前記基地局（ＢＳ）からのデータ信号が、少なくとも２つのリモート・アンテナ・ヘッド（ＲＡＨ３、ＲＡＨ４）を介してユーザ端末（ＵＥ４）に送信される請求項４に記載の方法。
【請求項６】
一定振幅の前記２つの位相変調信号成分が、前記送信装置（ＢＳ）における電気光学変換器（ＥＯ１、ＥＯ２）で、電気信号から光信号に変換され、
一定振幅の前記２つの位相変調信号成分が、前記送信装置（ＢＳ）にある光マルチプレクサ（ＭＵＸ）において光学的に多重化され、
一定振幅の前記２つの位相変調信号成分が、１つの光接続（ＯＦ４）を介して、前記送信装置（ＢＳ）から前記少なくとも１つの受信装置（ＲＡＨ１）にある光デマルチプレクサ（ＤＥＭＵＸ）に送信され、
一定振幅の前記２つの位相変調信号成分が、前記光デマルチプレクサ（ＤＥＭＵＸ）において光学的に多重分離される
請求項１または請求項２に記載の方法。
【請求項７】
ＬＩＮＣ増幅器（ＬＩＮＣ１、ＬＩＮＣ２）であって、
前記ＬＩＮＣ増幅器（ＬＩＮＣ１、ＬＩＮＣ２）の第１の部分が、一定振幅の第１の位相変調信号成分の第１の信号経路と、一定振幅の第２の位相変調信号成分の第２の信号経路と、一定振幅の前記２つの位相変調信号成分のうちの少なくとも１つを電気信号から光信号に変換するための少なくとも１つの電気光学変換器（ＥＯ１、ＥＯ２）とを備え、
前記ＬＩＮＣ増幅器（ＬＩＮＣ１、ＬＩＮＣ２）の第２の部分が、一定振幅の前記２つの位相変調信号成分のうちの少なくとも１つを光信号から電気信号に変換するための少なくとも１つの光学電気変換器（ＯＥ１、ＯＥ２）と、前記第１の位相変調信号成分の増幅のための第１の出力段（ＯＳ１）と、前記第２の位相変調信号成分の増幅のための第２の出力段（ＯＳ２）と、一定振幅の前記２つの増幅された位相変調信号成分を結合するための結合器（Ｃ）とを備え、
前記ＬＩＮＣ増幅器（ＬＩＮＣ１、ＬＩＮＣ２）の前記第１および第２の部分が、少なくとも１つの光接続（ＯＦ１、ＯＦ２、ＯＦ４）によって接続され、
無線周波数キャリア信号が、前記第１の部分におけるさらなる電気光学変換器（ＥＯ３、ＥＯ４）で、電気信号から光学無線周波数キャリア信号に変換され、
一定振幅の前記２つの位相変調信号成分のうちの前記少なくとも１つが前記光学無線周波数キャリア信号に追加され、結合された光信号がもたらされ、
前記結合された光信号が、前記第２の部分における光学電気変換器（ＯＥ１、ＯＥ２）で、光信号から電気信号に変換され、
一定振幅の前記２つの位相変調信号成分のうちの前記少なくとも１つが、前記光学電気変換器（ＯＥ１、ＯＥ２）において、光ヘテロダイン検出を適用して、前記光無線周波数キャリア信号との乗算によって、無線周波数ドメインにアップコンバートされる、ＬＩＮＣ増幅器（ＬＩＮＣ１、ＬＩＮＣ２）。
【請求項８】
前記結合器（Ｃ）が、Ｃｈｉｒｅｉｘまたはウィルキンソン結合器である
請求項７に記載のＬＩＮＣ増幅器（ＬＩＮＣ１、ＬＩＮＣ２）。
【請求項９】
少なくとも１つのリモート・アンテナ・ヘッド（ＲＡＨ１）を介して少なくとも１つの基地局（ＢＳ）からユーザ端末（ＵＥ１）に信号を送信するための前記少なくとも１つの基地局（ＢＳ）および前記少なくとも１つのリモート・アンテナ・ヘッド（ＲＡＨ１）を備える通信ネットワーク（ＣＮ）であって、
前記少なくとも１つの基地局が、ＬＩＮＣ増幅器（ＬＩＮＣ１、ＬＩＮＣ２）の第１の部分として、一定振幅の第１の位相変調信号成分の第１の信号経路と、一定振幅の第２の位相変調信号成分の第２の信号経路と、一定振幅の前記２つの位相変調信号成分のうちの少なくとも１つを電気信号から光信号に変換するための少なくとも１つの電気光学変換器（ＥＯ１、ＥＯ２）とを備え、
前記少なくとも１つのリモート・アンテナ・ヘッド（ＲＡＨ１）が、ＬＩＮＣ増幅器（ＬＩＮＣ１、ＬＩＮＣ２）の第２の部分として、一定振幅の前記２つの位相変調信号成分のうちの少なくとも１つを光信号から電気信号に変換するための少なくとも１つの光学電気変換器（ＯＥ１、ＯＥ２）と、前記第１の位相変調信号成分の増幅のための第１の出力段（ＯＳ１）と、前記第２の位相変調信号成分の増幅のための第２の出力段（ＯＳ２）と、一定振幅の前記２つの増幅された位相変調信号成分を結合するための結合器とを備え、
前記少なくとも１つの基地局（ＢＳ）が、光接続（ＯＦ１、ＯＦ２、ＯＦ４）を介して、前記少なくとも１つのリモート・アンテナ・ヘッド（ＲＡＨ１）と接続され、
無線周波数キャリア信号が、前記少なくとも１つの基地局（ＢＳ）におけるさらなる電気光学変換器（ＥＯ３、ＥＯ４）で、電気信号から光学無線周波数キャリア信号に変換され、
一定振幅の前記２つの位相変調信号成分のうちの前記少なくとも１つが前記光学無線周波数キャリア信号に追加され、結合された光信号がもたらされ、
前記結合された光信号が、前記少なくとも１つのリモート・アンテナ・ヘッド（ＲＡＨ１）における前記少なくとも１つの光学電気変換器（ＯＥ１、ＯＥ２）で、光信号から電気信号に変換され、
一定振幅の前記２つの位相変調信号成分のうちの前記少なくとも１つが、前記光学電気変換器（ＯＥ１、ＯＥ２）において、光ヘテロダイン検出を適用して、前記光無線周波数キャリア信号との乗算によって、無線周波数ドメインにアップコンバートされる、通信ネットワーク（ＣＮ）。
【発明の詳細な説明】
【技術分野】
【０００１】
本発明は、請求項１のプリアンブルによるデータ信号の送信のための方法、請求項８のプリアンブルによるＬＩＮＣ増幅器、請求項１０のプリアンブルによる送信装置、請求項１３のプリアンブルによる受信装置、および請求項１５のプリアンブルによる通信ネットワークに関する。
【背景技術】
【０００２】
セルラー無線ネットワークにおけるあるサービスエリアのカバレージは、サービスエリア内のモバイル・ユーザとの間の接続にサービスを提供するためのコアネットワークに接続されているいくつかの無線基地局によって提供される。無線基地局は、ベースバンド・ユニットおよび少なくとも１つのアンテナ・ユニットを含む。無線カバレージおよび容量を増加させるために、現代の基地局は、いくつかのセクター・アンテナを使用する。
【０００３】
基地局の柔軟性を増加させるために、アンテナをベースバンド・ユニットから離して配置できることが望ましい。これがリモート・アンテナ・ヘッドとも呼ばれるアクティブなアンテナ・システムの開発につながった。通常、１つのリモート・アンテナ・ヘッドは、１つのセクター・アンテナを含むが、たった１つを超えるセクター・アンテナを備えるリモート・アンテナ・ヘッドを有する既知のシステムもある。
【０００４】
好ましくは、基地局は、光ファイバによってリモート・アンテナ・ヘッドと接続される。従来の光ファイバ無線（ｒａｄｉｏ−ｏｖｅｒ−ｆｉｂｅｒ）のシナリオは、基地局と、リモート・アンテナ・ヘッドにおける増幅器を備える送信機との間のアナログ信号の光送信を伴う。
【０００５】
２ファイバリングを使用したセルラー無線通信ネットワークにおける光ファイバ無線の概念の実装の一例が欧州特許第ＥＰ１５５３７９１Ｂ１号に記載されている。
【０００６】
しかし、光送信の品質は、ノイズ、波長分散などの非線形性、および減弱作用を極度に被る。したがって、光ファイバ無線の概念の技術的な実装は、非常に高度な光変調技術および信号調節を伴う必要がある。
【０００７】
基本的に、アナログの無線周波数信号の光送信は、信号変調技術および信号調整のためのかなりの電子的な労力を伴う。実際に、例えば輝度変調および直接検波の方法は簡単かつ単純であり、かなりの線形光学送信特性を可能にするが、一方で、アナログの無線周波数送信の要件を満たすために高コストの変調器および変調器駆動部を必要とする。両側波帯変調が使用される場合、波長分散は、無線周波数電力の周波数および長さに依存する抑制をもたらし、これは送信品質を悪化させる。
【先行技術文献】
【特許文献】
【０００８】
【特許文献１】欧州特許第ＥＰ１５５３７９１Ｂ１号
【発明の概要】
【発明が解決しようとする課題】
【０００９】
したがって、本発明の目的は、送信装置と少なくとも１つの受信装置との間の光接続により、信号増幅のためのパワーアンプを使用した、送信装置から少なくとも１つの受信装置への信号の送信のための費用対効果の大きい、フォールトトレラントの方法を提案することである。
【課題を解決するための手段】
【００１０】
この目的は、請求項１の教示による方法、請求項８の教示によるＬＩＮＣ増幅器、請求項１０の教示による送信装置、請求項１３の教示による受信装置、および請求項１５の教示による通信ネットワークによって達成される。
【００１１】
例えば、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷＩＭＡＸ）、またはＴｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ（３ＧＰＰ  ＬＴＥ）などの移動通信システムは、最高２．６ＧＨｚまでの周波数で高い出力電力を有するパワーアンプを必要とするため、いわゆるＬＩＮＣ増幅器（ＬＩＮＣ＝非−線形成分による線形増幅）を信号増幅に使用することが好ましい。ＬＩＮＣ増幅器は、高度な直線性および効率を特徴とするからである。
【００１２】
前記ＬＩＮＣ増幅器では、入力データ信号は、２つの一定エンベロープ位相変調信号成分（ｃｏｎｓｔａｎｔ  ｅｎｖｅｌｏｐｅ  ｐｈａｓｅ  ｍｏｄｕｌａｔｅｄ  ｓｉｇｎａｌ  ｃｏｍｐｏｎｅｎｔ）に分割される。その後、各信号は、パワーアンプによって増幅される。一定エンベロープ信号によって、両方のパワーアンプを高効率になるように最適に設計することが可能になる。増幅後、両方の信号は、最初の振幅および位相が変調された入力データ信号の増幅された複製を生成するために、例えばＣｈｉｒｅｉｘまたはウィルキンソン結合器などの適した結合器によって再結合される。
【００１３】
本発明の主な着想は、ＬＩＮＣ増幅器を少なくとも１つの光接続によって接続される２つの遠隔部分に分割することによる優れた光ファイバ無線アーキテクチャの実現である。デジタル信号がアナログ信号より干渉に対してフォールトトレラントであるため、好ましくは、デジタル光信号は、少なくとも１つの光接続を通じて送信される。
【００１４】
本発明によれば、データ信号は、送信装置にあるＬＩＮＣ増幅器の第１の部分において一定振幅の２つの位相変調信号成分によって表され、一定振幅の２つの位相変調信号成分のうちの少なくとも１つは、送信装置にある少なくとも１つの電気光学変換器で、電気信号から光信号に変換され、一定振幅の２つの位相変調信号成分のうちの少なくとも１つは、送信装置から少なくとも１つの受信装置に、少なくとも１つの光接続を介して送信され、一定振幅の２つの位相変調信号成分のうちの少なくとも１つは、前記少なくとも１つの受信装置にある少なくとも１つの光学電気変換器で、光信号から電気信号に変換され、一定振幅の２つの位相変調信号成分は、前記少なくとも１つの受信装置にあるＬＩＮＣ増幅器の第２の部分において増幅され、結合される。
【００１５】
少なくとも１つのリモート・アンテナ・ヘッドを介した基地局からユーザ端末への信号の送信のために、信号増幅のためのＬＩＮＣ増幅器が使用され、基地局から少なくとも１つのリモート・アンテナ・ヘッドに前記少なくとも１つの光接続を通じて信号が送信される。
【００１６】
この概念は、コストおよびハードウェアの労力を容易に低減する新しいアーキテクチャを可能にし、さらに、例えば光線形成およびＭＩＭＯの用途において、簡単なスケーリングを可能にする。
【００１７】
少なくとも１つの光接続を介したデジタル光信号の送信を可能にするために、一定エンベロープ位相変調信号成分のうちの少なくとも１つを、少なくとも１つの適切な電気光学変換器に渡す前にデジタル電気ドメインに変換する必要がある。これは、２つの一定エンベロープ位相変調信号成分の一定振幅によって容易になる。
【００１８】
本発明のさらなる開発は、従属クレームおよび以下の説明から集めることができる。
【００１９】
以下において、添付の図面を参照して本発明をさらに説明する。
【図面の簡単な説明】
【００２０】
【図１】本発明を実施することができる基地局およびリモート・アンテナ・ヘッドを有するセルラー通信ネットワークを図式的に示す図である。
【図２】最新技術によるＬＩＮＣ増幅器アーキテクチャを図式的に示す図である。
【図３】本発明による分散型ＬＩＮＣ増幅器を設けた送信機および受信機を図式的に示す図である。
【図４】本発明による光多重化および多重分離の原理を適用する分散型ＬＩＮＣ増幅器を設けた送信機および受信機を図式的に示す図である。
【図５】本発明によるスケーリングの実証のために２つの分散型ＬＩＮＣ増幅器および２つのアンテナを設けた送信機および受信機を図式的に示す図である。
【図６】本発明によるスケーリングの実証のために、光多重化および多重分離の原理を適用する、２つの分散型ＬＩＮＣ増幅器および２つのアンテナを設けた送信機および受信機を図式的に示す図である。
【発明を実施するための形態】
【００２１】
本発明を実施することができる信号の送受信のための通信ネットワークＣＮの原理構造が図１に示される。通信ネットワークＣＮは、基地局ＢＳと、リモート・アンテナ・ヘッドＲＡＨ１〜ＲＡＨ４と、ユーザ端末ＵＥ１〜ＵＥ４とを備える。
【００２２】
前記リモート・アンテナ・ヘッドＲＡＨ１〜ＲＡＨ４のそれぞれは、例えばそれぞれ光ファイバ、または光学自由空間接続（ｏｐｔｉｃａｌ  ｆｒｅｅ−ｓｐａｃｅ  ｃｏｎｎｅｃｔｉｏｎ）、ＯＦ１、ＯＦ２、ＯＦ８、ＯＦ９、およびＯＦ１０などの光接続によって基地局ＢＳに接続されている。前記ユーザ端末ＵＥ１〜ＵＥ４のそれぞれは、前記リモート・アンテナ・ヘッドＲＡＨ１〜ＲＡＨ４のうちの１つまたは複数に接続されており、これは図１の二重矢印によって象徴される。基地局ＢＳは、次いで、簡潔にするために図１に示されていないコアネットワークに接続されている。
【００２３】
リモート・アンテナ・ヘッドＲＡＨ１〜ＲＡＨ４を介して基地局ＢＳからユーザ端末ＵＥ１〜ＵＥ４に送信すべき信号の増幅のために、リモート・アンテナ・ヘッドＲＡＨ１〜ＲＡＨ４にある最新技術によるＬＩＮＣ増幅器を使用することができる。
【００２４】
図２は、最新技術によるＬＩＮＣ増幅器を図式的に示す。
【００２５】
例えばベースバンド、中間周波数、または無線周波数（ＲＦ）信号Ｖｉｎ（ｔ）の入力のためのＬＩＮＣ増幅器の入力は、信号セパレータＳＩＳの入力に接続されている。
【００２６】
信号セパレータＳＩＳの第１の出力は、第１の出力段ＯＳ１の入力に接続されている。信号セパレータＳＩＳの第２の出力は、第２の出力段ＯＳ２の入力に接続されている。
【００２７】
第１の出力段ＯＳ１の出力は、結合器Ｃの第１の入力に接続されており、第２の出力段ＯＳ２の出力は、結合器Ｃの第２の入力に接続されている。
【００２８】
結合器Ｃの出力は、増幅信号Ｖｏｕｔ（ｔ）を出力するために設けられている。
【００２９】
図２に示すように、最新技術によるＬＩＮＣ増幅器を使用した信号増幅のための方法において、アナログ入力信号Ｖｉｎ（ｔ）は、ＬＩＮＣ増幅器の入力に送信され、したがって、信号セパレータＳＩＳの入力に送信される。信号セパレータＳＩＳにおいて、入力信号Ｖｉｎ（ｔ）は、一定振幅の２つの位相変調信号成分に分割される。言い換えると、入力信号Ｖｉｎ（ｔ）の振幅変調は、以下のような一定エンベロープを有する２つの信号Ｖ１（ｔ）およびＶ２（ｔ）の位相変調に変換される。
【００３０】
【数１】
0005450795.tif 000002
【００３１】
上記の式において、ωは周波数、θ（ｔ）は瞬時位相変化、ＡはＡ（ｔ）の最大値である。
【００３２】
一定振幅の第１の位相変調信号成分Ｖ１（ｔ）は、第１の出力段ＯＳ１の入力において適用され、前記第１の出力段ＯＳ１において増幅される。第１の出力段ＯＳ１の出力では、一定振幅の第１の位相変調信号成分Ｖ１（ｔ）の増幅されたコピーが、結合器Ｃの第１の入力での入力のために提供される。
【００３３】
一定振幅の第２の位相変調信号成分Ｖ２（ｔ）は、第２の出力段ＯＳ２の入力において適用され、前記第２の出力段ＯＳ２において増幅される。第２の出力段ＯＳ２の出力では、一定振幅の第２の位相変調信号成分Ｖ２（ｔ）の増幅されたコピーが、結合器Ｃの第２の入力での入力のために提供される。
【００３４】
結合器Ｃにおいて、一定振幅の第１の位相変調信号成分Ｖ１（ｔ）の増幅されたコピーが一定振幅の第２の位相変調信号成分Ｖ２（ｔ）の増幅されたコピーと結合され、結果として入力信号Ｖｉｎ（ｔ）の増幅されたコピーが得られる。入力信号Ｖｉｎ（ｔ）の前記増幅されたコピーは、ＬＩＮＣ増幅器の出力信号Ｖｏｕｔ（ｔ）として、結合器Ｃの出力において提供される。
【００３５】
以下に、本発明の４つの実施形態のＬＩＮＣ増幅器の適用について示す。全４つの実施形態の基本的な着想は、送信装置にあるＬＩＮＣ増幅器の第１の部分において一定振幅の位相変調信号成分を生成し、一定振幅の前記位相変調信号成分のうちの少なくとも１つを、光接続を介して受信装置にあるＬＩＮＣ増幅器の第２の部分に送信し、ＬＩＮＣ増幅器の第２の部分において一定振幅の位相変調信号成分を増幅し、結合することである。
【００３６】
本発明によるＬＩＮＣ増幅器ＬＩＮＣ１の一実施形態が図３に示される。ＬＩＮＣ増幅器ＬＩＮＣ１は、点線のボックスとして示されており、信号セパレータ、キャリア・シンセサイザＣＳ、４つの電気光学変換器ＥＯ１〜ＥＯ４、２つの光学加算器Ａ１およびＡ２、２つの光学電気変換器ＯＥ１およびＯＥ２、２つの位相信号リシンセサイザＰＳＲＳ１およびＰＳＲＳ２、２つの切り替えられた出力段ＯＳ１およびＯＳ２、および結合器Ｃを備える。
【００３７】
図３に示される実施形態において、信号セパレータ、キャリア・シンセサイザＣＳ、４つの電気光学変換器ＥＯ１〜ＥＯ４、および２つの光学加算器Ａ１およびＡ２は、ボックスとして示される基地局ＢＳに含まれ、２つの光学電気変換器ＯＥ１およびＯＥ２、２つの位相信号リシンセサイザＰＳＲＳ１およびＰＳＲＳ２、２つの切り替えられた出力段ＯＳ１およびＯＳ２、および結合器Ｃは、同様にボックスとして示されるリモート・アンテナ・ヘッドＲＡＨ１に含まれる。
【００３８】
基地局ＢＳは、第３の光学電気変換器ＯＥ３および受信機ＲＸをさらに備える。
【００３９】
リモート・アンテナ・ヘッドＲＡＨ１は、アンテナ・ネットワークＡＮ、低雑音増幅器ＬＮＡ、ダウン・コンバータＤＣ、アナログ−デジタル変換器ＡＤ２、および第５の電気光学変換器ＥＯ５をさらに備える。
【００４０】
ＬＩＮＣ増幅器ＬＩＮＣ１の中間周波信号の入力は、信号セパレータＳＩＳの入力に接続されている。
【００４１】
信号セパレータＳＩＳの第１の出力は、第１の電気光学変換器ＥＯ１の入力に接続されている。
【００４２】
第１の電気光学変換器ＥＯ１の出力は、光接続を介して第１の光学加算器Ａ１の第１の入力に接続されており、第１の光学加算器Ａ１の出力は、例えば光ファイバ、または光学自由空間接続などの光接続ＯＦ１を介して第１の光学電気変換器ＯＥ１の入力に接続されている。
【００４３】
第１の光学電気変換器ＯＥ１の出力は、第１の位相信号リシンセサイザＰＳＲＳ１の入力に接続されており、第１の位相信号リシンセサイザＰＳＲＳ１の出力は、第１の出力段ＯＳ１の入力に接続されている。
【００４４】
第１の出力段ＯＳ１の出力は、結合器Ｃの第１の入力に接続されている。
【００４５】
信号セパレータＳＩＳの第２の出力は、第２の電気光学変換器ＥＯ２の入力に接続されている。
【００４６】
第２の電気光学変換器ＥＯ２の出力は、光接続を介して第２の光学加算器Ａ２の第１の入力に接続されており、第２の光学加算器Ａ２の出力は、例えば光ファイバ、または光学自由空間接続などの光接続ＯＦ２を介して第２の光学電気変換器ＯＥ２の入力に接続されている。
【００４７】
第２の光学電気変換器ＯＥ２の出力は、第２の位相信号リシンセサイザＰＳＲＳ２の入力に接続されており、第２の位相信号リシンセサイザＰＳＲＳ２の出力は、第２の出力段ＯＳ２の入力に接続されている。
【００４８】
第２の出力段ＯＳ２の出力は、結合器Ｃの第２の入力に接続されている。
【００４９】
キャリア・シンセサイザＣＳの出力は、第３の電気光学変換器ＥＯ３の入力、および第４の電気光学変換器ＥＯ４の入力の両方に接続されている。
【００５０】
第３の電気光学変換器ＥＯ３の出力は、光接続を介して第１の光学加算器Ａ１の第２の入力に接続されており、第４の電気光学変換器ＥＯ４の出力は、光接続を介して第２の光学加算器Ａ２の第２の入力に接続されている。
【００５１】
本発明の一実施形態において、キャリア・シンセサイザＣＳの出力は、１つの電気光学変換器のみの入力に接続されており、電気光学変換器の出力は、光接続を介して第１の光学加算器Ａ１の第２の入力、および光接続を介して第２の光学加算器Ａ２の第２の入力の両方に接続されている。
【００５２】
結合器Ｃの出力は、アンテナ・ネットワークＡＮに接続されている。
【００５３】
本発明の一実施形態において、例えばフィルタ、イコライザ、または前置増幅器など、信号調整のためのさらなる装置が、それぞれ電気光学変換器ＥＯ１〜ＥＯ４と光学電気変換器ＯＥ１およびＯＥ２との間の信号経路に、またはそれぞれ光学電気変換器ＯＥ１およびＯＥ２と出力段ＯＳ１およびＯＳ２との間の信号経路に含まれている。
【００５４】
受信経路において、アンテナ・ネットワークＡＮの出力は、低雑音増幅器ＬＮＡの入力に接続されており、低雑音増幅器ＬＮＡの出力は、ダウン・コンバータＤＣの入力に接続されている。
【００５５】
ダウン・コンバータＤＣの出力は、アナログ−デジタル変換器ＡＤの入力に接続されており、アナログ−デジタル変換器ＡＤの出力は、第５の電気光学変換器ＥＯ５の入力に接続されている。
【００５６】
第５の電気光学変換器ＥＯ５の出力は、例えば光ファイバ、または光学自由空間接続などの光接続ＯＦ３を介して第３の光学電気変換器ＯＥ３の入力に接続されている。
【００５７】
第３の光学電気変換器ＯＥ３の出力は、次いで受信機ＲＸの入力に接続されている。
【００５８】
本発明の一実施形態において、ＬＩＮＣ増幅器ＬＩＮＣ１の出力は、例えば線形化および最適化のために、好ましくは第５の電気光学変換器ＥＯ５の入力において受信経路に接続されており、これは図３の破線矢印によって示される。
【００５９】
好ましくは、前記電気光学変換器ＥＯ１〜ＥＯ５はそれぞれ、直接変調されるか、または例えば電界吸収型またはニオブ酸リチウム型の変調器によって外部で変調されるレーザー・ダイオードを備える。
【００６０】
好ましくは、前記光学電気変換器ＯＥ１〜ＯＥ３はそれぞれ、いわゆるＰＩＮダイオード、またはいわゆるアバランシェフォトダイオードを備える。
【００６１】
図３に示される実施形態において、好ましくは周波数範囲１０〜１００ＭＨｚの中間周波数ｆｉｆのアナログデータ信号は、ＬＩＮＣ増幅器ＬＩＮＣ１の入力、およびしたがって信号セパレータＳＩＳの入力に送信される。信号セパレータＳＩＳにおいて、アナログデータ信号は、一定振幅の２つの位相変調信号成分に分割される。
【００６２】
一定振幅の２つの位相変調信号成分は、信号セパレータＳＩＳにおいてアナログ信号からデジタル信号に変換される。
【００６３】
本発明の別の一実施形態において、アナログ信号からデジタル信号への変換は、信号セパレータＳＩＳにおいて実行されるのではなく、それぞれ信号セパレータＳＩＳと電気光学変換器ＥＯ１およびＥＯ２との間の信号経路にあるアナログ−デジタル変換器で実行される。
【００６４】
一定振幅の第１の位相変調信号成分は、光源の光の周波数がｆｏｐｔｉｃａｌである光源を使用して、デジタル電気信号をデジタル光信号に変換する第１の電気光学変換器ＥＯ１に送信され、第１のデジタル光学位相変調信号成分が周波数ｆｏｓ＝ｆｏｐｔｉｃａｌ±ｆｉｆを有するようにする。
【００６５】
第１のデジタル光学位相変調信号成分は、光接続を介して第１の電気光学変換器ＥＯ１の出力から第１の加算器Ａ１の第１の入力に送信される。
【００６６】
一定振幅の第２の位相変調信号成分は、光源の光の周波数がｆｏｐｔｉｃａｌである光源を使用して、デジタル電気信号をデジタル光信号に変換する第２の電気光学変換器ＥＯ２に送信され、第２のデジタル光学位相変調信号成分が周波数ｆｏｓ＝ｆｏｐｔｉｃａｌ±ｆｉｆを有するようにする。
【００６７】
第２のデジタル光学位相変調信号成分は、光接続を介して第２の電気光学変換器ＥＯ２の出力から第２の加算器Ａ２の第１の入力に送信される。
【００６８】
キャリア・シンセサイザＣＳにおいて、好ましくは数百ＭＨｚから数ＧＨｚの周波数範囲の無線周波数ｆｒｆにおいて無線周波数キャリア信号が生成される。無線周波数キャリア信号は、光源の光の周波数がｆｏｐｔｉｃａｌである光源を使用して、電気無線周波数キャリア信号を光学無線周波数キャリア信号に変換する第３および第４の電気光学変換器ＥＯ３およびＥＯ４に送信され、光学無線周波数キャリア信号が周波数ｆｏｒｆ＝ｆｏｐｔｉｃａｌ±ｆｒｆを有するようにする。
【００６９】
光学無線周波数キャリア信号は、光接続を介して第３および第４の電気光学変換器ＥＯ３およびＥＯ４の出力からそれぞれ第１の加算器Ａ１および第２の加算器Ａ２の第２の入力に送信される。
【００７０】
第１の加算器Ａ１で、第１のデジタル光学位相変調信号成分が光学無線周波数キャリア信号に追加され、すなわち周波数ｆｏｓ＝ｆｏｐｔｉｃａｌ±ｆｉｆを有する第１のデジタル光学位相変調信号成分が周波数ｆｏｒｆ＝ｆｏｐｔｉｃａｌ±ｆｒｆを有する光学無線周波数キャリア信号と集計されて、第１の結合された光学データ信号がもたらされる。
【００７１】
第１の結合された光学データ信号は、光接続ＯＦ１を介して第１の加算器Ａ１の出力から第１の光学電気変換器ＯＥ１の入力に送信される。
【００７２】
第１の光学電気変換器ＯＥ１において、光ヘテロダイン検出の原理が適用され、第１のデジタル光学位相変調信号成分は、第１のデジタル電気位相変調信号成分にアップコンバートされる。ｆｏｐｔｉｃａｌの範囲の強度のすべてのより高い周波数成分が第１の光学電気変換器ＯＥ１において時間平均されるため、検出された第１のデジタル電気位相変調信号成分の強度は、周波数ｆｄｅｓ＝ｆｒｆ±ｆｉｆの頻度で変化する。第１のデジタル電気位相変調信号成分は、第１の光学電気変換器ＯＥ１の出力から、一定振幅のアナログの第１の位相変調信号成分が回復される第１の位相信号リシンセサイザＰＳＲＳ１の入力に送信される。
【００７３】
一定振幅の第１の位相変調信号成分は、第１の位相信号リシンセサイザＰＳＲＳ１の出力から第１の出力段ＯＳ１の入力に送信され、これは、第１の出力段ＯＳ１の出力において一定振幅の第１の位相変調信号成分の増幅されたコピーをもたらす。
【００７４】
本発明の一実施形態において、一定振幅のアナログの第１の位相変調信号成分は、第１の出力段ＯＳ１における暗黙の受動信号再構成フィルタリング（ｉｍｐｌｉｃｉｔ  ｐａｓｓｉｖｅ  ｓｉｇｎａｌ  ｒｅｃｏｎｓｔｒｕｃｔｉｏｎ  ｆｉｌｔｅｒｉｎｇ）によって回復され、第１の位相信号リシンセサイザＰＳＲＳ１は不要である。
【００７５】
一定振幅の第１の位相変調信号成分の増幅されたコピーは、結合器Ｃの第１の入力に送信される。
【００７６】
第２の加算器Ａ２で、第２のデジタル光学位相変調信号成分が光学無線周波数キャリア信号に追加され、すなわち周波数ｆｏｓ＝ｆｏｐｔｉｃａｌ±ｆｉｆを有する第２のデジタル光学位相変調信号成分が周波数ｆｏｒｆ＝ｆｏｐｔｉｃａｌ±ｆｒｆを有する光学無線周波数キャリア信号と集計されて、第２の結合された光学データ信号がもたらされる。
【００７７】
第２の結合された光学データ信号は、光接続ＯＦ２を介して第２の加算器Ａ２の出力から第２の光学電気変換器ＯＥ２の入力に送信される。
【００７８】
第２の光学電気変換器ＯＥ２において、光ヘテロダイン検出の原理が適用され、第２のデジタル光学位相変調信号成分は、第２のデジタル電気位相変調信号成分にアップコンバートされる。ｆｏｐｔｉｃａｌの範囲の強度のすべてのより高い周波数成分が第２の光学電気変換器ＯＥ２において時間平均されるため、検出された第２のデジタル電気位相変調信号成分の強度は、周波数ｆｄｅｓ＝ｆｒｆ±ｆｉｆの頻度で変化する。第２のデジタル電気位相変調信号成分は、第２の光学電気変換器ＯＥ２の出力から、一定振幅のアナログの第２の位相変調信号成分が回復される第２の位相信号リシンセサイザＰＳＲＳ２の入力に送信される。
【００７９】
一定振幅の第２の位相変調信号成分は、第２の位相信号リシンセサイザＰＳＲＳ２の出力から第２の出力段ＯＳ２の入力に送信され、これは、第２の出力段ＯＳ２の出力において一定振幅の第２の位相変調信号成分の増幅されたコピーをもたらす。
【００８０】
本発明の一実施形態において、一定振幅のアナログの第２の位相変調信号成分は、第２の出力段ＯＳ２における暗黙の受動信号再構成フィルタリングによって回復され、第２の位相信号リシンセサイザＰＳＲＳ２は不要である。
【００８１】
一定振幅の第２の位相変調信号成分の増幅されたコピーは、結合器Ｃの第２の入力に送信される。
【００８２】
結合器Ｃでは、一定振幅の第１の位相変調信号成分の増幅されたコピーが一定振幅の第２の位相変調信号成分の増幅されたコピーと結合され、ＬＩＮＣ増幅器ＬＩＮＣ１の入力において提供されるアナログデータ信号のアップコンバートされ、増幅されたコピーがもたらされる。アナログデータ信号の前記増幅されたコピーは、ＬＩＮＣ増幅器ＬＩＮＣ１の出力信号として、結合器Ｃの出力において提供される。
【００８３】
アナログデータ信号のアップコンバートされ、増幅されたコピーは、エア・インタフェースを介した送信のためにアンテナ・ネットワークＡＮに送信される。
【００８４】
受信経路において、アナログ電気信号は、信号増幅のために、アンテナ・ネットワークＡＮから低雑音増幅器ＬＮＡに送信される。
【００８５】
増幅されたアナログ電気信号は、ダウン・コンバータＤＣに送信され、そこで信号が無線周波数から中間周波数にダウンコンバートされる。
【００８６】
ダウンコンバートされたアナログ電気信号は、デジタル化のために、アナログ−デジタル変換器ＡＤに送信され、デジタル電気信号は、デジタル電気信号をデジタル光信号に変換するために、第５の電気光学変換器ＥＯ５に送信される。
【００８７】
デジタル光信号は、光接続ＯＦ３を介して第５の電気光学変換器ＥＯ５から第３の光学電気変換器ＯＥ３に送信される。
【００８８】
第３の光学電気変換器ＯＥ３において、デジタル光信号は、デジタル電気信号に逆変換され、さらなる処理のために受信機ＲＸに送信される。
【００８９】
本発明の一実施形態において、ＬＩＮＣ増幅器ＬＩＮＣ１の線形化が必要になる場合、ＬＩＮＣ増幅器ＬＩＮＣ１の出力信号は、第５の電気光学変換器ＥＯ５および光接続ＯＦ３を介して基地局ＢＳにフィードバックされ、前記フィードバックされた出力信号に基づいて、ＬＩＮＣ増幅器ＬＩＮＣ１は制御され、これは受信機ＲＸと信号セパレータＳＩＳとの間の破線矢印によって示される。
【００９０】
本発明の上述した実施形態の利点は、光ヘテロダイン検出を使用することによって、電気アップコンバージョンの必要が削除され、一定振幅の位相変調信号成分に関連した信号処理が、速度がかなり低減され、したがってワット損およびチップの複雑さが低減されて、中間周波数レベルで実行される。
【００９１】
しかし、光ヘテロダイン検出の適用は、本発明に必須でない。したがって、本発明の一実施形態では、一定振幅の位相変調信号成分は、それぞれ第１および第２の電気光学変換器ＥＯ１およびＥＯ２に送信される前に、電気的にアップコンバートされ、デジタル光学位相変調信号成分は、光接続を介して、それぞれ第１および第２の光学電気変換器ＯＥ１およびＯＥ２に直接送信される。結果として、キャリア・シンセサイザＣＳ、第３および第４の電気光学変換器ＥＯ３およびＥＯ４、および加算器Ａ１およびＡ２は、本実施形態では必要でない。
【００９２】
原則として、一定振幅の両方の位相変調信号成分が光信号として基地局ＢＳからリモート・アンテナ・ヘッドＲＡＨ１に送信されることは、本発明の適用には必要なく、すなわち、一定振幅の第１の位相変調信号成分、または一定振幅の第２の位相変調信号成分は、基地局ＢＳからリモート・アンテナ・ヘッドＲＡＨ１に電気的に送信される。したがって、本発明の実施形態では、一定振幅の第１の位相変調信号成分のみ、または一定振幅の第２の位相変調信号成分のみが基地局ＢＳからリモート・アンテナ・ヘッドＲＡＨ１に光学的に送信される。
【００９３】
本発明の一実施形態において、ＬＩＮＣ増幅器ＬＩＮＣ１の入力に送信されるアナログデータ信号は、中間周波数でなく、ベースバンド周波数上である。
【００９４】
図４に示される実施形態において、本発明による光多重化および多重分離の原理を適用する分散型ＬＩＮＣ増幅器ＬＩＮＣ２が示される。分散型ＬＩＮＣ増幅器ＬＩＮＣ２の基本的な構造は、図３に示され、上述した分散型ＬＩＮＣ増幅器ＬＩＮＣ１の構造と類似している。したがって、以下では、図３に示される分散型ＬＩＮＣ増幅器ＬＩＮＣ１と比較した違いのみを説明する。
【００９５】
図４に示される分散型ＬＩＮＣ増幅器ＬＩＮＣ２は、基地局ＢＳにある光マルチプレクサＭＵＸ、およびリモート・アンテナ・ヘッドＲＡＨ１にある光デマルチプレクサＤＥＭＵＸを備える。
【００９６】
第１の光学加算器Ａ１の出力は、光接続を介して光マルチプレクサＭＵＸの第１の入力に接続されている。
【００９７】
第２の光学加算器Ａ２の出力は、光接続を介して光マルチプレクサＭＵＸの第２の入力に接続され、光マルチプレクサＭＵＸの出力は、光接続ＯＦ４を介して光デマルチプレクサＤＥＭＵＸの入力に接続されている。
【００９８】
光デマルチプレクサＤＥＭＵＸの第１の出力は、光接続を介して第１の光学電気変換器ＯＥ１の入力に接続され、光デマルチプレクサＤＥＭＵＸの第２の出力は、光接続を介して第２の光学電気変換器ＯＥ２の入力に接続される。
【００９９】
図３に示される実施形態において、一定振幅の第１および第２の光学位相変調信号成分は、別々の光接続ＯＦ１およびＯＦ２を介して基地局ＢＳからリモート・アンテナ・ヘッドＲＡＨ１に送信される。
【０１００】
図４に示される実施形態において、一定振幅の第１および第２の光学位相変調信号成分および光学無線周波数キャリア信号は、光マルチプレクサＭＵＸにおいて多重化され、共通の光接続ＯＦ４を介して光デマルチプレクサＤＥＭＵＸに送信され、そこで光信号が多重分離される。本実施形態では、光多重化および多重分離が適用されるため、電気光学変換器ＥＯ１およびＥＯ３におけるアップコンバージョンのために使用される光周波数は、電気光学変換器ＥＯ２およびＥＯ４のアップコンバージョンのために使用される光周波数とは異なる。第１の光学位相変調信号成分およびそれぞれの光学無線周波数キャリア信号は、第１の光学電気変換器ＯＥ１に送信され、第２の光学位相変調信号成分およびそれぞれの光学無線周波数キャリア信号は、第２の光学電気変換器ＯＥ２に送信される。
【０１０１】
図５に示される実施形態において、それぞれアンテナ・ネットワークＡＮ１およびＡＮ２に接続されており、基地局ＢＳおよびリモート・アンテナ・ヘッドＲＡＨ１に含まれる２つの分散型ＬＩＮＣ増幅器ＬＩＮＣ３およびＬＩＮＣ４が、本発明によるスケーリングの実証のために示される。分散型ＬＩＮＣ増幅器ＬＩＮＣ３およびＬＩＮＣ４の基本的な構造および機能は、図３において示され、上述した分散型ＬＩＮＣ増幅器ＬＩＮＣ１の構造と類似している。したがって、以下では、図３に示される分散型ＬＩＮＣ増幅器ＬＩＮＣ１と比較した違いのみを説明する。
【０１０２】
図５に示される実施形態において、キャリア・シンセサイザＣＳは、分散型ＬＩＮＣ増幅器ＬＩＮＣ３およびＬＩＮＣ４ごとに個別のキャリア・シンセサイザを有する代わりに、上部の分散型ＬＩＮＣ増幅器ＬＩＮＣ３および下部の分散型ＬＩＮＣ増幅器ＬＩＮＣ４の無線周波数キャリア信号の生成に使用される。キャリア・シンセサイザＣＳの出力は、４つの電気光学変換器ＥＯ３、ＥＯ４、ＥＯ６、およびＥＯ７の４つの入力に接続されている。マルチバンドの適用のための別の実施形態において、異なるキャリア周波数を提供するために、複数のキャリア・シンセサイザＣＳが使用される。
【０１０３】
電気光学変換器ＥＯ３の出力は、上部の分散型ＬＩＮＣ増幅器ＬＩＮＣ３の第１の光学加算器Ａ１の入力に接続されており、電気光学変換器ＥＯ４の出力は、上部の分散型ＬＩＮＣ増幅器ＬＩＮＣ３の第２の光学加算器Ａ２の入力に接続されている。
【０１０４】
電気光学変換器ＥＯ６の出力は、下部の分散型ＬＩＮＣ増幅器ＬＩＮＣ４の第１の光学加算器Ａ３の入力に接続されており、電気光学変換器ＥＯ７の出力は、下部の分散型ＬＩＮＣ増幅器ＬＩＮＣ４の第２の光学加算器Ａ４の入力に接続されている。
【０１０５】
本発明の一実施形態において、キャリア・シンセサイザＣＳの出力は、１つの電気光学変換器のみの入力に接続されており、電気光学変換器の出力は、光接続を介して４つの光学加算器Ａ１〜Ａ４の入力に接続されている。
【０１０６】
２つの分散型ＬＩＮＣ増幅器ＬＩＮＣ３およびＬＩＮＣ４のそれぞれは、図３で上述した受信経路を有し、図３で上述した受信経路とは、光多重化および多重分離によって実行される、リモート・アンテナ・ヘッドＲＡＨ１と基地局ＢＳとの間に共通の光学受信経路を有するという違いがある。
【０１０７】
上部の分散型ＬＩＮＣ増幅器ＬＩＮＣ３のアンテナ・ネットワークＡＮ１の出力、および下部の分散型ＬＩＮＣ増幅器ＬＩＮＣ４のアンテナ・ネットワークＡＮ２の出力はそれぞれ、それぞれの低雑音増幅器ＬＮＡ１およびＬＮＡ２の入力に接続されている。
【０１０８】
本発明の一実施形態において、上部のＬＩＮＣ増幅器ＬＩＮＣ３の出力および下部のＬＩＮＣ増幅器ＬＩＮＣ４の出力は、好ましくはそれぞれ第５の電気光学変換器ＥＯ５および第１０の電気光学変換器ＥＯ１０の入力において、それぞれの受信経路に接続されており、これは図５の破線矢印によって示される。受信機ＲＸは、上部の分散型ＬＩＮＣ増幅器ＬＩＮＣ３の信号セパレータＳＩＳ１、および下部の分散型ＬＩＮＣ増幅器ＬＩＮＣ４の信号セパレータＳＩＳ２の両方に接続されており、これは図５の２つの破線矢印によって示される。あるいは、受信機ＲＸは、線形化アルゴリズムが通常実行されるデジタル処理ユニットに接続されている。
【０１０９】
ＬＩＮＣ増幅器ＬＩＮＣ３およびＬＩＮＣ４の両方の共通のキャリア・シンセサイザＣＳおよび共通の受信経路を使用することによって、コストが低減され、いわゆる光線形成または多入力多出力を適用して、システムをいくつかのアンテナの使用のために拡張可能にすることができる。
【０１１０】
本発明の一実施形態において、図５において説明したいくつかのＬＩＮＣ増幅器を、ＬＩＮＣ増幅器ごとの特定のキャリア・シンセサイザにおいて生成されたＬＩＮＣ増幅器ごとの特定の無線キャリア周波数と結合することによって、例えば、マルチバンド・カバレージまたは各ＬＩＮＣ増幅器の信号送信のための専用の周波数帯域を有する細分化された送信機を達成することができる。
【０１１１】
図６に示される実施形態において、それぞれアンテナ・ネットワークＡＮ１およびＡＮ２に接続されており、基地局ＢＳおよびリモート・アンテナ・ヘッドＲＡＨ１に含まれ、光多重化および多重分離の原理を適用する２つの分散型ＬＩＮＣ増幅器ＬＩＮＣ５およびＬＩＮＣ６が、本発明によるスケーリングの実証のために示される。分散型ＬＩＮＣ増幅器ＬＩＮＣ５およびＬＩＮＣ６の基本的な構造および機能は、図４において示され、上述した分散型ＬＩＮＣ増幅器ＬＩＮＣ２の構造と類似している。したがって、以下では、図４に示される分散型ＬＩＮＣ増幅器ＬＩＮＣ２と比較した違いのみを説明する。
【０１１２】
図６に示される実施形態において、キャリア・シンセサイザＣＳは、分散型ＬＩＮＣ増幅器ＬＩＮＣ５およびＬＩＮＣ６ごとに個別のキャリア・シンセサイザを有する代わりに、上部の分散型ＬＩＮＣ増幅器ＬＩＮＣ５および下部の分散型ＬＩＮＣ増幅器ＬＩＮＣ６の無線周波数キャリア信号の生成に使用される。キャリア・シンセサイザＣＳの出力は、４つの電気光学変換器ＥＯ３、ＥＯ４、ＥＯ６、およびＥＯ７の４つの入力に接続されている。
【０１１３】
電気光学変換器ＥＯ３の出力は、上部の分散型ＬＩＮＣ増幅器ＬＩＮＣ５の第１の光学加算器Ａ１の入力に接続されており、電気光学変換器ＥＯ４の出力は、上部の分散型ＬＩＮＣ増幅器ＬＩＮＣ５の第２の光学加算器Ａ２の入力に接続されている。
【０１１４】
電気光学変換器ＥＯ６の出力は、下部の分散型ＬＩＮＣ増幅器ＬＩＮＣ６の第１の光学加算器Ａ３の入力に接続されており、電気光学変換器ＥＯ７の出力は、下部の分散型ＬＩＮＣ増幅器ＬＩＮＣ６の第２の光学加算器Ａ４の入力に接続されている。図６の基地局ＢＳは、分散型ＬＩＮＣ増幅器ＬＩＮＣ５およびＬＩＮＣ６によって使用される光マルチプレクサＭＵＸを備え、リモート・アンテナ・ヘッドＲＡＨ１は、同様に分散型ＬＩＮＣ増幅器ＬＩＮＣ５およびＬＩＮＣ６によって使用される光デマルチプレクサＤＥＭＵＸを備える。
【０１１５】
上部の分散型ＬＩＮＣ増幅器ＬＩＮＣ５の第１の光学加算器Ａ１の出力は、光接続を介して光マルチプレクサＭＵＸの第１の入力に接続されており、上部の分散型ＬＩＮＣ増幅器ＬＩＮＣ５の第２の光学加算器Ａ２の出力は、光接続を介して光マルチプレクサＭＵＸの第２の入力に接続されている。
【０１１６】
下部の分散型ＬＩＮＣ増幅器ＬＩＮＣ６の第１の光学加算器Ａ３の出力は、光接続を介して光マルチプレクサＭＵＸの第３の入力に接続されており、下部の分散型ＬＩＮＣ増幅器ＬＩＮＣ６の第２の光学加算器Ａ４の出力は、光接続を介して光マルチプレクサＭＵＸの第４の入力に接続されている。
【０１１７】
光マルチプレクサＭＵＸの出力は、光接続ＯＦ７を介して光デマルチプレクサＤＥＭＵＸの入力に接続されている。
【０１１８】
光デマルチプレクサＤＥＭＵＸの第１の出力は、光接続を介して上部の分散型ＬＩＮＣ増幅器ＬＩＮＣ５の第１の光学電気変換器ＯＥ１の入力に接続されており、光デマルチプレクサＤＥＭＵＸの第２の出力は、光接続を介して上部の分散型ＬＩＮＣ増幅器ＬＩＮＣ５の第２の光学電気変換器ＯＥ２の入力に接続されている。
【０１１９】
光デマルチプレクサＤＥＭＵＸの第３の出力は、光接続を介して下部の分散型ＬＩＮＣ増幅器ＬＩＮＣ６の第１の光学電気変換器ＯＥ４の入力に接続されており、光デマルチプレクサＤＥＭＵＸの第２の出力は、光接続を介して下部の分散型ＬＩＮＣ増幅器ＬＩＮＣ６の第２の光学電気変換器ＯＥ５の入力に接続されている。
【０１２０】
図３に示される実施形態において、一定振幅の第１および第２の光学位相変調信号成分は、別々の光接続ＯＦ１およびＯＦ２を介して基地局ＢＳからリモート・アンテナ・ヘッドＲＡＨ１に送信される。
【０１２１】
図６に示される実施形態において、一定振幅の第１および第２の光学位相変調信号成分、およびＬＩＮＣ増幅器ＬＩＮＣ５およびＬＩＮＣ６の光学無線周波数キャリア信号は、光マルチプレクサＭＵＸにおいて多重化され、共通の光接続ＯＦ７を介して光デマルチプレクサＤＥＭＵＸに送信され、そこで光信号が多重分離される。
【０１２２】
本実施形態では、光多重化および多重分離が適用されるため、電気光学変換器ＥＯ３、ＥＯ４、ＥＯ６、およびＥＯ７におけるアップコンバージョンのために使用される光周波数は、それぞれ電気光学変換器ＥＯ１、ＥＯ２、ＥＯ９におけるアップコンバージョンのために使用される光周波数に対応しており、すべて互いに異なる。
【０１２３】
上部のＬＩＮＣ増幅器ＬＩＮＣ５の第１の光学位相変調信号成分およびそれぞれの光学無線周波数キャリア信号は、上部ＬＩＮＣ増幅器ＬＩＮＣ５の第１の光学電気変換器ＯＥ１に送信され、上部のＬＩＮＣ増幅器ＬＩＮＣ５の第２の光学位相変調信号成分およびそれぞれの光学無線周波数キャリア信号は、上部のＬＩＮＣ増幅器ＬＩＮＣ５の第２の光学電気変換器ＯＥ２に送信される。
【０１２４】
下部のＬＩＮＣ増幅器ＬＩＮＣ６の第１の光学位相変調信号成分およびそれぞれの光学無線周波数キャリア信号は、下部のＬＩＮＣ増幅器ＬＩＮＣ６の第１の光学電気変換器ＯＥ４に送信され、下部のＬＩＮＣ増幅器ＬＩＮＣ６の第２の光学位相変調信号成分およびそれぞれの光学無線周波数キャリア信号は、下部のＬＩＮＣ増幅器ＬＩＮＣ６の第２の光学電気変換器ＯＥ５に送信される。
【０１２５】
２つの分散型ＬＩＮＣ増幅器ＬＩＮＣ５およびＬＩＮＣ６は、図５で上述したように受信経路を有する。
【０１２６】
上部の分散型ＬＩＮＣ増幅器ＬＩＮＣ５のアンテナ・ネットワークＡＮ１の出力、および下部の分散型ＬＩＮＣ増幅器ＬＩＮＣ６のアンテナ・ネットワークＡＮ２の出力はそれぞれ、それぞれの低雑音増幅器ＬＮＡ１およびＬＮＡ２の入力に接続されている。
【０１２７】
本発明の一実施形態において、上部のＬＩＮＣ増幅器ＬＩＮＣ５の出力および下部のＬＩＮＣ増幅器ＬＩＮＣ６の出力は、好ましくはそれぞれ第５の電気光学変換器ＥＯ５および第１０の電気光学変換器ＥＯ１０の入力において、それぞれの受信経路に接続されており、これは図６の破線矢印によって示される。受信機ＲＸは、上部の分散型ＬＩＮＣ増幅器ＬＩＮＣ５の信号セパレータＳＩＳ１、および下部の分散型ＬＩＮＣ増幅器ＬＩＮＣ６の信号セパレータＳＩＳ２の両方に接続されており、これは図６の２つの破線矢印によって示される。あるいは、受信機ＲＸは、線形化アルゴリズムが通常実行されるデジタル処理ユニットに接続されている。
【０１２８】
ＬＩＮＣ増幅器ＬＩＮＣ５およびＬＩＮＣ６の両方の共通のキャリア・シンセサイザＣＳ、共通のマルチプレクサＭＵＸ、共通のデマルチプレクサＤＥＭＵＸ、および共通の受信経路を使用することによって、コストが低減され、いわゆる光線形成または多入力多出力を適用して、システムをいくつかのアンテナの使用のために拡張可能にすることができる。
【０１２９】
本発明の一実施形態において、図６において説明したいくつかのＬＩＮＣ増幅器を、ＬＩＮＣ増幅器ごとの特定の無線キャリア周波数と結合することによって、例えば、マルチバンド・カバレージまたは各ＬＩＮＣ増幅器の信号送信のための専用の周波数帯域を有する細分化された送信機を達成することができる。
【０１３０】
本発明の別の実施形態において、基地局ＢＳからの信号は、ユーザ端末ＵＥ４への信号送信のために使用される２つのリモート・アンテナ・ヘッドＲＡＨ３およびＲＡＨ４の場合について図１に示されるように、少なくとも２つのリモート・アンテナ・ヘッドＲＡＨ３、ＲＡＨ４を介して、少なくとも２つの光接続ＯＦ９、ＯＦ１０を介して、いわゆる光線形成または多入力多出力手順を適用して、ユーザ端末ＵＥ４に送信される。
【０１３１】
上記の実施形態において、アナログデータ信号は、ＬＩＮＣ増幅器ＬＩＮＣ１〜ＬＩＮＣ６の入力において提供される。しかし、さらなる好ましい実施形態において、それぞれＬＩＮＣ増幅器ＬＩＮＣ１〜ＬＩＮＣ６の入力において提供される入力データ信号は、例えば、いわゆるベースバンド周波数でデジタル処理ユニットから提供されるＩまたはＱ値などのデジタル信号である。信号セパレータＳＩＳにおいて、デジタル・データ信号は、一定振幅の２つのデジタル位相変調信号成分に分割される。デジタル入力データ信号を使用している実施形態では、アナログ入力データ信号を使用する実施形態において説明したように、信号セパレータＳＩＳにおけるアナログからデジタル信号への変換は必要ではなく、代わりに、専用の信号処理を実行する必要がある。
【０１３２】
デジタル入力データ信号を使用している実施形態では、信号セパレータＳＩＳは、好ましくはフィールド・プログラマブル・ゲート・アレイ（ＦＰＧＡ）において実装されるが、特定用途向け集積回路（ＡＳＩＣ）において実装することもできる。
【０１３３】
本発明によるこうしたＬＩＮＣ増幅器を、例えば標準のＵｎｉｖｅｒｓａｌ  Ｍｏｂｉｌｅ  Ｔｅｌｅｃｏｍｍｕｎｉｃａｔｉｏｎｓ  Ｓｙｓｔｅｍ、Ｔｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ、またはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを適用している通信ネットワークに使用することができる。
【０１３４】
上記の実施形態において、本発明は、少なくとも１つのリモート・アンテナ・ヘッドＲＡＨ１を介した基地局ＢＳからユーザ端末ＵＥ１への信号の送信のために記載されているが、本発明は、例えばポイント・ツー・ポイント無線方式で使用される、またはラック内で装置の接続に使用されるなど、任意の送信装置から任意の受信装置への信号の送信にも適用可能である。
【図１】
0005450795.tif 000003
【図２】
0005450795.tif 000004
【図３】
0005450795.tif 000005
【図４】
0005450795.tif 000006
【図５】
0005450795.tif 000007
【図６】
0005450795.tif 000008